(57)【要約】【課題】文字板の意匠面を効果的にグラデーション照明することができる車両用計器を提供する。【解決手段】ＬＥＤ３１の光を導光体３２を介して出射しその出射光を文字板３の意匠面４に照射するグラデーション照明手段３０を備える車両用計器装置１において、意匠面４は、中央の平坦部５と、平坦部５の周縁から径方向外側へ進むにしたがって徐々に後方に下がる斜面６とを有する断面略台形状をなし、意匠面４には金属調印刷が施されており、導光体３２を介して出射された出射光が少なくとも斜面６に照射される。意匠面４上に設けられた目盛りおよび文字を形成する印刷層がパール顔料を含んでいる。【選択図】図２
2008020294.tif 000002
【特許請求の範囲】
【請求項１】
光源の光を導光体を介して出射しその出射光を文字板の意匠面に照射する照明手段を備える車両用計器装置において、
前記意匠面は、中央の平坦部と、前記平坦部の周縁から径方向外側へ進むにしたがって徐々に後方に下がる斜面とを有する断面略台形状をなし、前記意匠面には金属調印刷が施されており、前記導光体を介して出射された出射光が少なくとも前記斜面に照射されることを特徴とする車両用計器装置。
【請求項２】
前記斜面が凸曲面に形成されていることを特徴とする請求項１に記載の車両用計器装置。
【請求項３】
前記意匠面上に設けられた少なくとも文字または目盛りは複数の印刷層により形成され、その一部の印刷層がパール顔料を含んでいることを特徴とする請求項１または請求項２に記載の車両用計器装置。
【請求項４】
前記斜面から離間して配置され前記斜面の外周縁を前方から覆うブラインドリングを備えることを特徴とする請求項１から請求項３のいずれか１項に記載の車両用計器装置。
【請求項５】
前記導光体の出射口の前端が、前記意匠面の前記平坦部と前後方向ほぼ同じ位置に配置されていることを特徴とする請求項１から請求項４のいずれか１項に記載の車両用計器装置。
【請求項６】
前記斜面は、前記導光体を介して出射された出射光が、前記意匠面の前記平坦部に対して略垂直な方向へ反射するように設けられていることを特徴とする請求項１から請求項５のいずれか１項に記載の車両用計器装置。
【請求項７】
前記導光体を介して出射された出射光が、前記斜面の径方向外側近傍では前記意匠面の前記平坦部に対して略垂直な方向へ反射し、該斜面の径方向内側に進むにしたがって前記平坦部とのなす角度が小さくなる方向へ反射するように、前記斜面が設けられていることを特徴とする請求項１から請求項５のいずれか１項に記載の車両用計器装置。
【発明の詳細な説明】
【技術分野】
【０００１】
この発明は、スピードメーター等の車両用計器装置に関するものである。
【背景技術】
【０００２】
車両用計器にはグラデーション照明を施すことによって立体感や高級感を高めているものがある。例えば、特許文献１には文字板をグラデーション照明した車両用計器が開示されており、特許文献２には表示板の周囲の筒状体をグラデーション照明した車両用計器が開示されている。
【特許文献１】特開平１０−４８００４号公報
【特許文献２】特開２００２−８１９６６号公報
【発明の開示】
【発明が解決しようとする課題】
【０００３】
しかしながら、従来の文字板に対するグラデーション照明ではグラデーション効果が小さく、満足できるものではなかった。
また、目盛りが施されている部分、すなわち文字板の周縁部を限定的にグラデーション照明するものはなかった。
そこで、この発明は、文字板を効果的にグラデーション照明することができる車両用計器を提供するものである。
【課題を解決するための手段】
【０００４】
この発明に係る車両用計器では、上記課題を解決するために以下の手段を採用した。
請求項１に係る発明は、光源（例えば、後述する実施例におけるＬＥＤ３１）の光を導光体（例えば、後述する実施例における導光体３２）を介して出射しその出射光を文字板（例えば、後述する実施例における文字板３）の意匠面（例えば、後述する実施例における意匠面４）に照射する照明手段（例えば、後述する実施例におけるグラデーション照明手段３０）を備える車両用計器装置（例えば、後述する実施例における車両用計器装置１）において、前記意匠面は、中央の平坦部（例えば、後述する実施例における平坦部５）と、前記平坦部の周縁から径方向外側へ進むにしたがって徐々に後方に下がる斜面（例えば、後述する実施例における斜面６）とを有する断面略台形状をなし、前記意匠面には金属調印刷が施されており、前記導光体を介して出射された出射光が少なくとも前記斜面に照射されることを特徴とする。
このように構成することにより、意匠面を金属調にすることができる。また、文字板の意匠面の少なくとも斜面に対して径方向外側から径方向内側に向かって徐々に暗くなるグラデーション照明を行うことができる。
【０００５】
請求項２に係る発明は、請求項１に記載の発明において、前記斜面が凸曲面（例えば、後述する実施例における凸曲面６ａ）に形成されていることを特徴とする。
このように構成することにより、意匠面の斜面に対して、より明確なグラデーション照明を行うことができる。
【０００６】
請求項３に係る発明は、請求項１または請求項２に記載の発明において、前記意匠面上に設けられた少なくとも文字（例えば、後述する実施例における文字８）または目盛り（例えば、後述する実施例における目盛り７）は複数の印刷層（例えば、後述する実施例における表示着色層４２、パール印刷層４３）により形成され、その一部の印刷層がパール顔料を含んでいることを特徴とする。
このように構成することにより、金属調印刷の意匠面に対する文字または目盛りのコントラストを大きくすることができ、文字または目盛りの視認性が向上する。
【０００７】
請求項４に係る発明は、請求項１から請求項３のいずれか１項に記載の発明において、前記斜面から離間して配置され前記斜面の外周縁を前方から覆うブラインドリング（例えば、後述する実施例におけるブラインドリング３３）を備えることを特徴とする。
このように構成することにより、照明手段をブラインドリングで隠すことができるとともに、導光体から出射し意匠面の斜面で反射した光をブラインドリングよりも径方向外側に広がらないように規制することができる。
【０００８】
請求項５に係る発明は、請求項１から請求項４のいずれか１項に記載の発明において、前記導光体の出射口（例えば、後述する実施例における内周面３２ｂ）の前端が、前記意匠面の前記平坦部と前後方向ほぼ同じ位置に配置されていることを特徴とする。
このように構成することにより、導光体から出射した光を意匠面の斜面にほぼ限定して照射することが可能になり、導光体から出射した光が意匠面の平坦部に照射されるのを抑制することができる。
【０００９】
請求項６に係る発明は、請求項１から請求項５のいずれか１項に記載の発明において、前記斜面は、前記導光体を介して出射された出射光が、前記意匠面の前記平坦部に対して略垂直な方向へ反射するように設けられていることを特徴とする。
このように構成することにより、意匠面の斜面に対して、径方向外側から径方向内側へ向かってより明確なグラデーション照明を行うことができる。また、文字板の前方にアウターレンズが設けられている場合には、意匠面の斜面で反射した光をアウターレンズに照射することができる。
【００１０】
請求項７に係る発明は、請求項１から請求項５のいずれか１項に記載の発明において、前記導光体を介して出射された出射光が、前記斜面の径方向外側近傍では前記意匠面の前記平坦部に対して略垂直な方向へ反射し、該斜面の径方向内側に進むにしたがって前記平坦部とのなす角度が小さくなる方向へ反射するように、前記斜面が設けられていることを特徴とする。
このように構成することにより、意匠面の斜面に対して、径方向外側から径方向内側へ向かってより明確なグラデーション照明を行うことができる。
【発明の効果】
【００１１】
請求項１に係る発明によれば、意匠面を金属調にすることができ、且つ、文字板の意匠面の少なくとも斜面に対して径方向にグラデーション照明を行うことができるので、高級感やスポーティ感を醸し出すことができる。
請求項２に係る発明によれば、意匠面の斜面に対して、より明確なグラデーション照明を行うことができる。
【００１２】
請求項３に係る発明によれば、金属調印刷の意匠面に対する文字または目盛りのコントラストを大きくすることができ、文字または目盛りの視認性が向上する。
請求項４に係る発明によれば、照明手段をブラインドリングで隠すことができるとともに、導光体から出射し意匠面の斜面で反射した光をブラインドリングよりも径方向外側に広がらないように規制することができる。
【００１３】
請求項５に係る発明によれば、導光体から出射した光を意匠面の斜面にほぼ限定して照射することが可能になり、導光体から出射した光が意匠面の平坦部に照射されるのを抑制することができる。
請求項６に係る発明によれば、意匠面の斜面に対して、径方向外側から径方向内側へ向かってより明確なグラデーション照明を行うことができる。また、文字板の前方にアウターレンズが設けられている場合には、意匠面の斜面で反射した光をアウターレンズに照射することができる。
請求項７に係る発明によれば、意匠面の斜面に対して、径方向外側から径方向内側へ向かってより明確なグラデーション照明を行うことができる。
【発明を実施するための最良の形態】
【００１４】
以下、この発明に係る車両用計器装置の実施例を図１から図１０の図面を参照して説明する。
図１に示すように、この実施例における車両用計器装置１は、スピードメーター２やタコメーター（図示略）など複数のメーターを備えて構成されている。また、図２に示すように、車両用計器装置１は、スピードメーター２の文字板３から所定寸法離間した前方にアウターレンズ１１を備えている。なお、以下の説明では、図２において矢印Ｘ１方向を前方、矢印Ｘ２方向を後方とする。
【００１５】
文字板３は、光を透過させる樹脂（光透過性樹脂）で形成されていて、正面から見て略円形をなし、断面形状は台形状をなしている。この文字板３はフレーム２０の円筒部２１の内側に配置されており、ベースフレーム２２の前方側に設けられたサポートベース２３の前面に取り付けられている。
この文字板３において前方側の面（すなわち、アウターレンズ１１と対向する面）が意匠面４となっている。意匠面４は、中央が円形の平坦部５になっており、平坦部５の外側は平坦部５の周縁から径方向外側へ進むにしたがって徐々に後方に下がる斜面６になっている。この斜面６は平坦部５に対して４５度の角度をなしている。そして、図１に示すように、意匠面４の斜面６の周方向所定範囲に目盛り７が設けられ、目盛り７の径方向内側であって平坦部５の外周縁部分に速度を示す数字からなる文字８が２０ｋｍ／ｈ間隔で表示されている。また、意匠面４の斜面６において目盛り７が設けられている領域は凸曲面６ａに形成されており、目盛り７が設けられていない領域は平坦な面６ｂに形成されている。
なお、この実施例の文字板３においては、目盛り７と文字８はパール顔料を含むパール印刷層を備えて構成され、目盛り７および文字８を除いた意匠面４は金属調印刷が施されている。これについては後で詳述する。
【００１６】
スピードメーター２の指針９は文字板３の前方に配置され、文字板３の後方に設けられたムーブメント１０によって、車速に応じた角度だけ回転せしめられる。指針９の先端は文字板３の意匠面４における斜面６の前方に位置している。なお、ムーブメント１０はベースフレーム２２に固定されている。
また、文字板３とサポートベース２３との間には拡散板１３が設置されており、拡散板１３のさらに後方には光源としての複数の白色ＬＥＤ１４が取り付けられている。拡散板１３は光透過性樹脂で形成され、ドーナツ板状をなし、導入部１３ａから入射したＬＥＤ１４の光を拡散して文字板３を後方から照明する。これら、拡散板１３とＬＥＤ１４はバックライト照明手段１５を構成し、この実施例では、バックライト照明手段１５は昼間の明るいうちはＯＦＦとし、夕暮れや夜間にＯＮにして照明する。
【００１７】
また、フレーム２０の円筒部２１とサポートベース２３および文字板３との間にはグラデーション照明手段３０が設けられている。グラデーション照明手段３０は、光源としてのＬＥＤ３１と、導光体３２とを備えて構成されている。
ＬＥＤ３１は白色ＬＥＤで構成され、サポートベース２３の径方向外側に配置されていて、周方向に所定間隔で複数配置されている。
【００１８】
導光体３２は光透過性樹脂で形成され、リング状をなし、ＬＥＤ３１の前方であって文字板３の径方向外側に配置され、フレーム２０の円筒部２１の内側に取り付けられている。導光体３２の前端面３２ａは文字板３の意匠面４における平坦部５と平行な平面に形成され、平坦部５と前後方向ほぼ同じ位置に配置されている。なお、この実施例では、導光体３２の前端面３２ａが平坦部５よりも極く僅か後方側に位置している。導光体３２の内周面３２ｂは前端面３２ａと直交する平面に形成されていて、内周面３２ｂの後端が文字板３の意匠面４における斜面６の外周縁に接している。したがって、導光体３２の内周面３２ｂから斜面６までの距離は後方側から前方側に進むにしたがって遠くなる。この内周面３２ｂには青色の印刷（塗膜）が施されている。
【００１９】
また、グラデーション照明手段３０の前方にはブラインドリング３３が取り付けられている。ブラインドリング３３は光を透過させない樹脂（光非透過性樹脂）で形成され、リング状をなし、導光体３２の前方に配置され、文字板３の意匠面４における斜面６から離間して配置されている。ブラインドリング３３はフレーム２０の円筒部２１の内側に固定リング３４を介して取り付けられている。固定リング３４も光非透過性樹脂で形成されていて、断面Ｌ字形のリング状をなし、この固定リング３４の内側にブラインドリング３３が一体的に取り付けられている。ブラインドリング３３は前方に進むにしたがって拡径する断面略三角形をなし、ブラインドリング３３の後端面と固定リング３４の後端面が面一となって導光体３２の前端面３２ａに当接している。ブラインドリング３３の内周面３３ａは導光体３２の内周面３２ｂよりも径方向内側に突出しており、文字板３の意匠面４における斜面６の外周縁を前方から覆っている。これにより、グラデーション照明手段３０はブラインドリング３３と固定リング３４によって隠される。
【００２０】
この実施例では、グラデーション照明手段３０はバックライト照明手段１５と連動してＯＮ／ＯＦＦ制御されるようになっており、したがって、グラデーション照明手段３０も昼間の明るいうちはＯＦＦとし、夕暮れや夜間にＯＮにして照明する。
このグラデーション照明手段３０では、ＬＥＤ３１から出射され導光体３２に入射した光は、ブラインドリング３３および固定リング３４によって前方への出射を阻止され、導光体３２の内周面３２ｂからのみ出射が可能になる。つまり、内周面３２ｂのみが導光体３２の出射口となる。そして、導光体３２の内周面３２ｂから径方向内側へ出射する出射光は、内周面３２ｂに施された青色の印刷（塗膜）によって青色に着色され、文字板３の意匠面４における斜面６に照射される。そして、斜面６に照射された青色の出射光は、斜面６において反射し、反射光は前方へ進んでいく。ここで、斜面６は平坦部５に対して４５度の角度をなしているので、斜面６で反射した青色の反射光は平坦部５に対して垂直な方向に進んでいき、アウターレンズ１１に照射され、さらにアウターレンズ１１を垂直に透過していく。
【００２１】
なお、この実施例では、導光体３２の前端面３２ａが意匠面４における平坦部５よりも極く僅か後方側に位置しているので、導光体３２の内周面３２ｂから出射した出射光は、意匠面４における斜面６にほぼ限定して照射され、平坦部５への照射が抑制される。
また、ブラインドリング３３の内周面３３ａが導光体３２の内周面３２ｂよりも径方向内側に突出しているので、導光体３２から出射し意匠面４の斜面６で反射した反射光をブラインドリング３３よりも径方向外側に広がらないように規制することができる。
【００２２】
また、前述したように、導光体３２の内周面３２ｂから斜面６までの距離は後方側から前方側に進むにしたがって遠くなっているので、斜面６の径方向外側で反射した反射光の方が斜面６の径方向内側で反射した反射光よりも明るくなる。これにより、斜面６に対して径方向外側から径方向内側に向かって徐々に暗くなる青色のグラデーション照明が行われる。
【００２３】
特に、斜面６において目盛り７が設けられている領域は凸曲面６ａに形成されているので、この凸曲面６ａの部分では斜面６の径方向内側であるほど、反射光は意匠面４の平坦部５とのなす角度が小さくなる方向へ進んでいく。したがって、凸曲面６ａに形成された斜面６では、平坦な面６ｂに形成された斜面６よりもグラデーションが明確になる。
ここで、凸曲面６ａの形状を、ブラインドリング３３の内周縁３３ａと径方向において対応する位置で反射した反射光が、平坦部５に対して垂直な方向へ進んでいくように設定しておくと、正面から見てブラインドリング３３の内側に見える斜面６の最外側を一番明るくすることができ、グラデーションをより明確にすることができる。
【００２４】
次に、文字板３の構造を詳述する。図３は文字８が表示されている部分を断面にして示す文字板３の部分斜視図であり、図４は同断面図である。文字板３は、基板４１と、基板４１の表面に印刷などによって形成された表示着色層（印刷層）４２と、表示着色層４２の表面に印刷などによって形成されたパール印刷層（印刷層）４３と、パール印刷層４３の表面に印刷などによって形成された背景着色層４４、とから構成されている。
【００２５】
基板４１は透明または半透明の光透過性樹脂によって形成されている。表示着色層４２は白色の光透過性の塗膜からなる。パール印刷層４３は、パール顔料を有するパールインクの印刷などによって形成された光透過性の塗膜からなる。背景着色層４４は、金属調の色彩を有する光非透過性の塗膜からなり、文字８の形状に倣って開けられた開口４４ａを有している。ここで、金属調の色彩としては、シルバーあるいはゴールドなどの金属色を例示することができる。
つまり、背景着色層４４の開口４４ａを通してパール印刷層４３が露出しており、開口４４ａから露出するパール印刷層４３と背景着色層４４は意匠面４の表面を形成する。そして、背景着色層４４を背景とした文字８においては、表示着色層４２の表面側がパール印刷層４３によって覆われた構造となっている。なお、ここでは文字８の部分の構造について説明するが、目盛り７の部分についても同様の構造になっている。
【００２６】
パール顔料は、天然の真珠と同様な構造を持つことによって示す特性に由来して命名されたものである。真珠は、図５に示すように、核を中心に、透明で屈折率の異なるタンパク質層５１と炭酸カルシウム層５２が交互に重なり合った構造を有し、真珠の表面に入射した光は、タンパク質層５１と炭酸カルシウム層５２の境界で規則的に多重反射し、反射光が互いに干渉するようになり、パール特有の干渉色と光沢が表れる。
パール顔料は、屈折率の低いマイカやＳｉＯ２，Ａｌ２Ｏ３と、屈折率の高い例えば酸化チタンや酸化鉄などの金属酸化物との層状配列によって、パール色を再現したものである。
【００２７】
図６のパール顔料モデルで説明すると、マイカやＳｉＯ２，Ａｌ２Ｏ３の表面に金属酸化物を塗布することで多層の透明塗膜となり、この塗膜による規則的な光の多重反射により、パールの干渉色が実現される。
この実施例のパール印刷層４３では、図７に示すように、パール顔料は、これを有するインクが透明または半透明の薄板状に印刷された塗膜からなるパール印刷層４３内において、層状に配向され、光を複雑に多重反射する。これによって、光が塗膜に入射して内部で反射したときに、パール印刷層４３内で反射した光とパール印刷層４３の表面で反射した光が干渉し、反射光は同位相の場合に強め合い、位相がずれている場合に打ち消し合って、パール独特の輝きを呈する。
【００２８】
このように構成された文字板３によれば、文字板３の意匠面４に照射された照射光は、パール印刷層４３を介して表示着色層４２に照射されるようになる。パール印刷層４３はその反射輝度特性によって表示着色層４２の反射輝度に比べて大きな反射輝度となり、パール印刷層４３がない場合に比べて文字８の反射輝度を高める。したがって、背景着色層４４からなる背景部に対する文字８のコントラストを、パール印刷層４３がない場合よりも高めることができる。
【００２９】
なお、パール顔料の場合、干渉される可視光の波長（λ）は、パール顔料を構成する層の厚さ（ｄ）と層を構成する材料の屈折率（ｎ）の積に比例（λ∝ｄ・ｎ）する関係があるので、表面の金属酸化物と各層の厚さを変えることで、干渉される可視光の波長を任意に特定することができ、種々の反射光の色と光沢のあるパール色を得ることができる。因みに、層の厚さが４０〜６０ｎｍでは銀色、６０〜８０ｎｍでは黄色（透過光：青色）、８０〜１００ｎｍでは赤色（透過光：緑色）、１００〜１４０ｎｍでは青色（透過光：黄色）、１２０〜１６０ｎｍでは緑色（透過光：赤色）の干渉色を得ることができる。
この実施例では、文字８の色を白色にするために、表示着色層４２を白色とし、パール顔料としては表示着色層４２の色（白色）と同系色の干渉光を得ることができる層厚を有するパール顔料、例えば銀色干渉光を発するパール顔料を選択している。
【００３０】
図８に、金属調の背景着色層４４を背景部（図８では金属文字板と記す）とした文字板において、銀色干渉光を発するパール顔料を含んだパール印刷層４３を備えた文字（図８ではパール印刷文字と記す）を採用した場合と、パール印刷層４３は備えない文字、つまりパール顔料を用いない文字（図８では通常文字と記す）を採用した場合で、背景部に対する文字のコントラスト（図８では、パール印刷文字の場合をパールコントラスト、通常文字の場合を通常コントラストと記す）の比較実験を行った結果を示す。なお、金属文字板の反射輝度はどちらも同じ条件とした。
【００３１】
この実験結果から、外光入射の明るさの大小によらず、パール印刷文字の方が通常文字よりも反射輝度が高くなり、したがって、背景部に対するコントラストもパール印刷文字の方が通常文字よりも大きいことが実証された。しかも、通常文字の場合には、外光入射の明るさが小さいときにはコントラストが非常に小さく、外光入射の明るさが大きくなるにしたがってコントラストが徐々に大きくなっていくのに対して、パール印刷文字の場合には、外光入射の明るさの大小に関わらずほぼ一定の極めて大きなコントラストになることが確認できる。
このことから、金属文字板に白色の通常文字を施した場合には背景部に対する文字のコントラストが小さいため文字の視認性が悪くなるが、この実施例の車両用計器装置１のように、金属文字板に白色のパール印刷文字を施した場合には、背景部に対するパール印刷文字のコントラストが極めて大きいため、文字８の視認性が極めて向上する。
【００３２】
なお、夜間などでバックライト照明手段１５のＬＥＤ１４を点灯したときには、拡散板１３によって拡散されたＬＥＤ１４の白色の光が文字板３の裏側から照射されるが、目盛り７と文字８を構成する部分は光透過性を有しているので、拡散板１３から照射される光が目盛り７および文字８を透過して前方に出射し、目盛り７および文字８を明るく浮かび上がらせる。これに対して、目盛り７および文字８を除く意匠面４は光非透過性の塗膜である背景着色層４４で覆われているので、拡散板１３から照射される光は目盛り７および文字８を除く意匠面４を透過することができず、したがって、この部分は正面から見ると暗く見える。これにより、バックライト照明手段１５のＬＥＤ１４を点灯したときも、背景部に対する目盛り７および文字８のコントラストが非常に大きく、視認性が極めて高い。
【００３３】
前述した実施例では、表示着色層４２とパール印刷層４３を基板４１の全面に形成したが、表示着色層４２とパール印刷層４３は目盛り７および文字８の部分に形成されていれば足りるので、図９に示すように、背景着色層４４の開口４４ａに対応する部位にだけ表示着色層４２とパール印刷層４３を積層形成した構造にしてもよい。また、基板４１が光透過性材料で形成されている場合には、図１０に示すように、基板４１の表面側（すなわち、意匠面４側）にパール印刷層４３を形成し、基板４１の裏面側に表示着色層４２を形成した構造にしてもよい。
【００３４】
以上説明するように、この実施例の車両用計器装置１によれば、文字板３の意匠面４に金属調印刷が施されているので、高級感やスポーティ感を醸し出すことができる。また、目盛り７および文字８を形成するパール印刷層４３がパール顔料を含んでいるので、バックライト照明手段１５のＬＥＤ１４を点灯しないときにも、目盛り７および文字８の視認性が極めて高い。
また、夜間などでバックライト照明手段１５のＬＥＤ１４を点灯したときには、拡散板１３から照射される白色の光が目盛り７および文字８だけを透過して前方に出射し、目盛り７および文字８を明るく浮かび上がらせるので、このときも目盛り７および文字８の視認性が極めて高い。
【００３５】
また、バックライト照明手段１５のＬＥＤ１４の点灯と同時にグラデーション照明手段３０のＬＥＤ３１が点灯するので、前述したように、文字板３の意匠面４における斜面６（つまり、目盛り７が施されている部分）に対して径方向外側から径方向内側に向かって徐々に暗くなる青色のグラデーション照明を行うことができる。これによって高級感やスポーティ感を醸し出すことができる。そして、グラデーション照明手段３０は青色の光で意匠面４の斜面６を照明するが、平坦部５を殆ど照明しないので、運転者には目盛り７が青白く見え、文字８が明瞭な白色に見える。
【００３６】
〔他の実施例〕
なお、この発明は前述した実施例に限られるものではない。
例えば、前述した実施例ではスピードメーターを例にして説明したが、この発明はタコメーターなど他の車両用のメーターにも採用可能である。
また、前述した実施例では、バックライト照明手段１５を設けたが、この発明はバックライト照明手段１５を備えない車両用計器装置にも採用可能であり、その場合には文字板３の基板４１は光透過性がなくても構わない。
【図面の簡単な説明】
【００３７】
【図１】この発明に係る車両用計器装置の一実施例における正面図である。
【図２】前記実施例における車両用計器装置の断面図である。
【図３】前記実施例における車両用計器装置の文字板の一部を断面にして示す斜視図である。
【図４】前記文字板の断面図である。
【図５】真珠の断面構造を示す図である。
【図６】パール顔料の模式図である。
【図７】前記文字板におけるパール印刷層の模式図である。
【図８】パール印刷文字と通常文字におけるコントラストを比較した一例である。
【図９】他の実施例における文字板の断面図である。
【図１０】さらに別の実施例における文字板の断面図である。
【符号の説明】
【００３８】
１  車両用計器装置
３  文字板
４  意匠面
５  平坦部
６  斜面
６ａ  凸曲面
７  目盛り
８  文字
３０  グラデーション照明手段（照明手段）
３１  ＬＥＤ（光源）
３２  導光体
３２ｂ  内周面（出射口）
３３  ブラインドリング
４２  表示着色層（印刷層）
４３  パール印刷層（印刷層）
【図１】
2008020294.tif 000003
【図２】
2008020294.tif 000004
【図３】
2008020294.tif 000005
【図４】
2008020294.tif 000006
【図５】
2008020294.tif 000007
【図６】
2008020294.tif 000008
【図７】
2008020294.tif 000009
【図８】
2008020294.tif 000010
【図９】
2008020294.tif 000011
【図１０】
2008020294.tif 000012